(57)【特許請求の範囲】
【請求項１】
軒先等に固定される固定部が形成された取付部材と、上記取付部材と進退調節可能に連結され、雨樋を支持受ける樋受部が形成された樋支持具本体と、これら樋支持具本体と取付部材とを圧接して固定可能なロック手段を備えた樋受具において、上記ロック手段は、上記取付部材又は樋支持具本体の一方には、長手方向に向けて長孔が形成され、他方には、この長孔に重合される軸孔部が形成され、これら長孔及び軸孔部に貫通される連結軸と、上記連結軸に連結され、上記樋支持具本体を所望の位置で前記取付部材に圧接して固定可能な横回転式ロックレバーとから成り、上記横回転式ロックレバーは、前記連結軸が貫通される軸孔が開設され、且つ、上側に向けて弾性付勢される変形可能な基板部を備え、この基板部には、前記軸孔の同心円上に爪片部が上側に向けて立設されると共に、前記基板部の端部には、これを横回転操作するための操作部が、下側に向けて複数組形成されてなる樋受具。
【請求項２】
請求項１において、上記取付部材の下面の長手方向には、上記横回転式ロックレバーの爪片部が係合可能な溝部が複数形成されている樋受具。
【請求項３】
請求項１又は２の何れかにおいて、上記長孔の側壁の長手方向には、上記横回転式ロックレバーの爪片部が係合可能な凹部が複数形成されている樋受具。
【請求項４】
請求項１〜３の何れかにおいて、上記横回転式ロックレバーには、上側に向けて爪片部が複数形成されている樋受具。
【請求項５】
請求項１〜４の何れかにおいて、上記爪片部の上端隅には、面取りされた傾斜部が形成されている樋受具。
【発明の詳細な説明】
【０００１】
【発明の属する技術分野】
本発明は、軒先等に配される樋受具に関し、詳しくは、軒先等に固定される固定部が形成された取付部材と、雨樋を支持受ける樋受部が形成された樋支持具本体とが進退調節可能に連結され、これら樋支持具本体と取付部材とを圧接して固定可能なロック手段を備えた樋受具に関する。
【０００２】
【従来の技術】
図７は、従来の樋受具を示した分解斜視図である。
【０００３】
この樋受具１００は、軒先等に固定される固定部１１１が形成された取付部材１０１と、この取付部材１０１と進退調節可能に連結され、雨樋Ｔを支持受ける樋受部１１２が形成された樋支持具本体１０２と、これら樋支持具本体１０２と取付部材１０１とを圧接して固定可能なロック手段１０３とより成る。
【０００４】
この取付部材１０１は、基端にスポット・リベット等で座金が固定された固定部１１１の下端から前方に向けて足片１２１が延設され、この足片１２１には長孔１３１を形成している。
【０００５】
樋支持具本体１０２は、略全体で雨樋Ｔを支持受ける樋受部１１２が形成され、この樋受部１１２の上端側には、雨樋Ｔの耳部を掛止する樋耳掛止部１２２を設けている。
【０００６】
また、樋受部１１２には、角孔１４２が開設され、この角孔１４２及び長孔１３１には連結ボルト１３２が下方に向けて貫通されている。
【０００７】
ロック手段１０３は、蝶ナット１２３とスプリングワッシャ、平ワッシャ等の弾性部材１３３とから成り、その貫通された連結ボルト１３２に、弾性部材１３３を嵌挿したうえで、蝶ナット１２３を螺合し、樋支持具本体１０２と取付部材１０１とを連結している。
【０００８】
このように構成された樋受具１００は、取付部材１０１の固定部１１１をネジ、釘等で軒先等に固定する。
【０００９】
そして、蝶ナット１２３を弛めた状態で、樋支持具本体１０２を長孔１３１に沿って所望の位置に進退調節した後、この蝶ナット１２３の操作部１２３ａを指で摘まんで回転操作して締め付けることで、これら樋支持具本体１０２と取付部材１０１とを圧接して固定し、所望の位置に固定された樋支持具本体１０２に雨樋Ｔを支持受けて取付けるのである。
【００１０】
【発明が解決しようとする課題】
このように、従来の樋受具１００は、蝶ナット１２３の締め付けによって、樋支持具本体１０２を圧接して固定されていた。
【００１１】
しかし、このものでは、樋支持具本体１０２を進退調節するためには、蝶ナット１２３を弛めて所望の位置に調節した後、これを何回も回転させて連結ボルト１３２に締付けて圧接固定（ロック）しなければならず、しかも、軒先等に数多く取付けられている樋支持具本体１０２の出具合を進退調節するには、そのロック、アンロックの作業が面倒で、作業性が悪いという問題があった。
【００１２】
本発明は、かかる課題を解決することを目的とするもので、ワンタッチ操作するだけで、樋支持具本体の進退調節を簡単にでき、しかもその位置を確実にロックできる樋受具を提供する。
【００１３】
【課題を解決するための手段】
上記目的を達成するため、請求項１に係る樋受具は、軒先等に固定される固定部が形成された取付部材と、上記取付部材と進退調節可能に連結され、雨樋を支持受ける樋受部が形成された樋支持具本体と、これら樋支持具本体と取付部材とを圧接して固定可能なロック手段を備えた樋受具において、上記ロック手段は、上記取付部材又は樋支持具本体の一方には、長手方向に向けて長孔が形成され、他方には、この長孔に重合される軸孔部が形成され、これら長孔及び軸孔部に貫通される連結軸と、上記連結軸に連結され、上記樋支持具本体を所望の位置で前記取付部材に圧接して固定可能な横回転式ロックレバーとから成り、上記横回転式ロックレバーは、前記連結軸が貫通される軸孔が開設され、且つ、上側に向けて弾性付勢される変形可能な基板部を備え、この基板部には、前記軸孔の同心円上に爪片部が上側に向けて立設されると共に、前記基板部の端部には、これを横回転操作するための操作部が、下側に向けて複数組形成されてなる。
【００１４】
請求項１では、弾性付勢される変形可能な基板部に爪片部を備えた横回転式ロックレバーを設けているので、これを水平方向に横回転操作するだけで、樋受具における樋支持具本体の進退調節のためのロック、アンロックをワンタッチで簡単に行うことができる。
また、操作部が複数組形成されているので、ロック又はアンロック操作するときには、必要に応じて、何れかの操作部を摘んで横回転操作することができる。
【００１５】
請求項２に係る樋受具は、請求項１において、上記取付部材の下面の長手方向には、上記横回転式ロックレバーの爪片部が係合可能な溝部が複数形成されている。
【００１６】
請求項２では、横回転式ロックレバーの爪片部が長孔に係合されると、その弾性力によって樋支持具本体を取付部材に圧接して固定されるが、このとき爪片部が取付部材の溝部に係合されるため、樋支持具本体を確実にロックできる。
【００１７】
請求項３に係る樋受具は、請求項１又は２の何れかにおいて、上記長孔の側壁の長手方向には、上記横回転式ロックレバーの爪片部が係合可能な凹部が複数形成されている。
【００１８】
請求項３では、横回転式ロックレバーの爪片部が長孔に係合されると、その弾性力によって樋支持具本体を取付部材に圧接して固定されるが、このとき爪片部が長孔の側壁に形成された凹部に係合されるため、樋支持具本体をより確実にロックできる。
【００１９】
請求項４に係る樋受具は、請求項１〜３の何れかにおいて、上記横回転式ロックレバーには、上側に向けて爪片部が複数形成されている。
【００２０】
請求項４では、爪片部が複数形成されているので、ロック操作されたときには、複数の爪部が長孔、溝部又は凹部に各々係合されるため、より確実に樋支持具本体をロックできる。
【００２３】
請求項５に係る樋受具は、請求項１〜４の何れかにおいて、上記爪片部の上端隅には、面取りされた傾斜部が形成されている。
【００２４】
請求項５では、傾斜部が形成されているので、爪片部の係脱をスムーズに行うことができる。
【００２５】
【発明の実施の形態】
以下、本発明に係る樋受具Ａを図面とともに説明する。
【００２６】
図１は、本発明に係る樋受具の一実施例を示す分解斜視図、図２（ａ）、（ｂ）は、図１の動作を説明するための概略側断面図及び要部の概略底面図である。
【００２７】
この樋受具Ａは、軒先等に固定される固定部１１が形成された取付部材１と、この取付部材１と進退調節可能に連結され、雨樋Ｔを支持受ける樋受部２１が形成された樋支持具本体２と、これら樋支持具本体２と取付部材１とを圧接して固定可能なロック手段３とを設けた構造にしている。
【００２８】
取付部材１は、基端にスポット・リベット等で座金が固定された固定部１１の下端から前方に足片１２が延設されて形成され、この足片１２には、長手方向に向けて長孔１３を形成している。
【００２９】
また、固定部１１には、これを軒先等に固定するための釘、ネジ等が貫通される取付孔１４ａを形成している。
【００３０】
なお、取付部材１の形状は、軒先等に応じて様々であり、これに限定されるものではない。樋支持具本体２は、略全体で雨樋Ｔを支持受ける樋受部２１が形成され、この樋受部２１の上端側には、雨樋Ｔの耳部を掛止する樋耳掛止部２２を設けている。
【００３１】
また、樋受部２１には、取付部材１の長孔１３に重合される軸孔部２３を形成している。
【００３２】
これらの長孔１３と軸孔部２３とは、逆に形成されてもよく、樋支持具本体２を前後にスライドできる構造であれば足りる。
【００３３】
なお、樋支持具本体２は、様々な形状の雨樋Ｔに応じて適宜形成され、ここでは、角状の雨樋Ｔに対応したものを例示しているが、これに限定されるものではなく、半円状の樋等でも構わない。
【００３４】
ロック手段３は、取付部材１の長孔１３及び樋支持具本体２の軸孔部２３に貫通されるリベット等の連結軸４と、この連結軸４に枢着して連結され、樋支持具本体２を所望の位置で取付部材１に圧接して固定可能な横回転式ロックレバー５とより構成されて成り、この横回転式ロックレバー５を水平方向に横回転操作することで、両部材を圧接して固定させる構造にしている。
【００３５】
この横回転式ロックレバー５は、連結軸４が貫通される軸孔５１が開設され、且つ、上側に向けて弾性付勢される変形可能な基板部５２を備え、この基板部５２には、軸孔５１の同心円上に爪片部５４が上側に向けて立設されている。
【００３６】
また、基板部５２の端部には、これを横回転操作するための操作部５３を下側に向けて形成している。
【００３７】
この操作部５３は、一側だけに形成しても構わないが、図示のように、操作部５３を複数形成すれば、ロック又はアンロック操作するときには、必要に応じて、何れかの操作部５３を摘んで横回転操作することができる。
【００３８】
爪片部５４は、基板部５２を切り欠き、その切り欠いた片を立起させて形成している。この爪片部５４は、その上端隅を面取りして、傾斜部５４ａを形成しており、この傾斜部５４ａを形成することによって、爪片部５４と取付部材１との係脱をスムーズに行うことができる。
【００３９】
また、軸孔５１は、基板部５２の中心よりも偏心した位置に形成することで、横回転式ロックレバー５を容易に回転操作できる。
【００４０】
このように形成された樋支持具本体２の軸孔部２３及び取付部材１の長孔１３に連結軸４を貫通し、その端部には、必要に応じてスプリングワッシャ、平ワッシャ等の弾性体６を嵌挿したうえで、連結軸４の端部をカシメ止めする等して横回転式ロックレバー５を連結している。
【００４１】
このように形成されたロック手段３は、図２（ａ）で示すように、横回転式ロックレバー５の操作部５３を摘んで、これを水平方向に横回転操作すれば、基板部５２の爪片部５４が取付部材１の縁部に先ず当接され、これを回し込めば、爪片部５４が取付部材１に乗り上げるため、図２（ｂ）で示すように、基板部５２が下側に撓んで変形されるため、上側に向けて弾性付勢される。
【００４２】
そして、この横回転式ロックレバー５を更に回し込めば、爪片部５４は、やがて取付部材１の長孔１３に係合されて横回転が規制されると共に、樋支持具本体２と取付部材１とが圧接された状態で固定される。
【００４３】
一方、この固定されたロック状態から横回転式ロックレバー５を水平方向に横回転すれば、今度は爪片部５４が取付部材１の長孔１３から離脱し、上記同様、取付部材１に乗り上げた後、やがてこれと離脱され、樋支持具本体２と取付部材１との圧接が解除されたアンロックとなり、図２（ａ）で示すように樋支持具本体２を自在に進退調節できる。
【００４４】
このような樋受具Ａによれば、弾性付勢される変形可能な基板部５２を備えた横回転式ロックレバー５を水平方向に横回転操作するだけで、樋受具Ａにおける樋支持具本体２の進退調節のためのロック、アンロックをワンタッチで簡単に行うことができる。
【００４５】
図３は、本発明に係る樋受具の他の実施例を示す分解斜視図、図４（ａ）、（ｂ）は、図３の爪片部の他例を示すロックレバーの概略正面図である。
【００４６】
ここで、図１、図２と共通する部位には、共通の符号を付し、その説明を省略している。
【００４７】
この樋受具Ａでは、取付部材１の足片１２の下面の長手方向には、横回転式ロックレバー５の爪片部５４が係合可能な溝部１４を複数形成している点に特徴がある。
【００４８】
すなわち、この樋受具Ａでは、横回転式ロックレバー５を横回転操作すれば、その爪片部５４が、対応される溝部１４に係合されながら、上記同様、長孔１３で係合されてロックされる。
【００４９】
なお、溝部１４は、足片１２の下面全部に形成されなくても構わず、長孔１３の下端縁だけに形成したものでも構わない。
【００５０】
この場合、爪片部５４は、図４（ａ）で示すように、その上端隅を直線的に面取りした傾斜部５４ａを形成するか、又は、その上端隅を段落ちさせて面取りした傾斜部５４ａを形成することもでき、このような傾斜部５４ａによれば、爪片部５４と取付部材１との係脱を確実に行うことができる。
【００５１】
このような樋受具Ａによれば、横回転式ロックレバー５の爪片部５４が長孔１３に係合されると、その弾性力によって樋支持具本体２と取付部材１とが圧接して固定されるが、このとき、爪片部５４は長孔１３の溝部１４に係合されるため、樋支持具本体２を確実にロックできる。
【００５２】
図５は、本発明に係る樋受具の更に他の実施例を示す分解斜視図である。
【００５３】
ここで、図１〜図４と共通する部位には、共通の符号を付し、その説明を省略している。
【００５４】
この樋受具Ａでは、取付部材１の長孔１３の両側壁の長手方向には、横回転式ロックレバー５の爪片部５４が係合可能な凹部１５が複数形成している点に特徴がある。
【００５５】
なお、この凹部１５は、長孔１３の一方の側壁のみに形成しても構わない。
【００５６】
すなわち、この樋受具Ａでは、横回転式ロックレバー５を横回転操作すれば、上記同様、その爪片部５４が長孔１３に係合されるが、このとき、長孔１３の凹部１５に爪片部５４が嵌り込んで係合されるため、樋支持具本体２をより確実にロックできる。
【００５７】
図６は、本発明に係る横回転式ロックレバーの他の実施例を示す分解斜視図である。
【００５８】
ここで、図１〜図５と共通する部位には、共通の符号を付し、その説明を省略している。
【００５９】
この樋受具Ａでは、横回転式ロックレバー５の基板部５２の軸孔５１の前後に、爪片部５４が複数形成されている点に特徴がある。
【００６０】
このような樋受具Ａによれば、その爪片部５４が複数形成されているので、ロック操作されたときには、複数の爪片部５４が長孔１３に各々係合されるため、より確実に樋支持具本体２をロックできる。
【００６１】
【発明の効果】
本発明によれば、次のような効果がある。
【００６２】
請求項１に係る樋受具によれば、弾性付勢される変形可能な基板部に爪片部を備えた横回転式ロックレバーを設けているので、これを水平方向に横回転操作するだけで、樋受具における樋支持具本体の進退調節のためのロック、アンロックをワンタッチで簡単に行うことができる。
また、操作部が複数組形成されているので、ロック又はアンロック操作するときには、必要に応じて、何れかの操作部を摘んで横回転操作することができる。
【００６３】
請求項２に係る樋受具によれば、横回転式ロックレバーの爪片部が長孔に係合されると、その弾性力によって樋支持具本体を取付部材に圧接して固定されるが、このとき爪片部が取付部材の溝部に係合されるため、樋支持具本体を確実にロックできる。
【００６４】
請求項３に係る樋受具によれば、横回転式ロックレバーの爪片部が長孔に係合されると、その弾性力によって樋支持具本体を取付部材に圧接して固定されるが、このとき爪片部が長孔の側壁に形成された凹部に係合されるため、樋支持具本体をより確実にロックできる。
【００６５】
請求項４に係る樋受具によれば、爪片部が複数形成されているので、ロック操作されたときには、複数の爪部が長孔、溝部又は凹部に各々係合されるため、より確実に樋支持具本体をロックできる。
【００６６】
請求項５に係る樋受具によれば、傾斜部が形成されているので、爪片部の係脱をスムーズに行うことができる。
【図面の簡単な説明】
【図１】本発明に係る樋受具の一実施例を示す分解斜視図
【図２】（ａ）、（ｂ）は、図１の動作を説明するための概略側断面図及び要部の概略底面図
【図３】本発明に係る樋受具の他の実施例を示す分解斜視図
【図４】（ａ）、（ｂ）は、図３の爪片部の他例を示すロックレバーの概略正面図
【図５】本発明に係る樋受具の更に他の実施例を示す分解斜視図
【図６】本発明に係る横回転式ロックレバーの他の実施例を示す分解斜視図
【図７】従来の樋受具を示した分解斜視図
【符号の説明】
Ａ 樋受具
Ｔ 雨樋
１ 取付部材
１１ 固定部
１３ 長孔
１４ 溝部
１５ 凹部
２   樋支持具本体
２１ 樋受部
２３ 軸孔部
３ ロック手段
３１ 基板部
４ 連結軸
５ 横回転式ロックレバー
５１ 軸孔
５２ 基板部
５３ 操作部
５４ 爪片部
５４ａ 傾斜部
【図１】
0003935708.tif 000002
【図２】
0003935708.tif 000003
【図３】
0003935708.tif 000004
【図４】
0003935708.tif 000005
【図５】
0003935708.tif 000006
【図６】
0003935708.tif 000007
【図７】
0003935708.tif 000008